(57)【要約】【課題】比較的低温の温度環境下での始動時であっても、クラッチ装置における連結又は切り離し機能を円滑に遂行する。【解決手段】操舵反力モータ１６を有する操舵反力発生装置１５と、転舵モータ２９を有する転舵装置１７と、操舵反力発生装置１５及び転舵装置１７の間を機械的な連結状態にし又は切離状態にする動作を行うロック装置３５を有するクラッチ装置１９と、クラッチ装置１９に係る温度相関情報を取得する温度相関情報取得部６１と、操舵反力モータ１６、転舵モータ２９、及びロック装置３５の駆動制御を行う駆動制御部６３と、を備える。駆動制御部６３は、ロック装置３５に与える電力供給態様を温度相関情報に基づき設定すると共に、当該設定された電力供給態様を用いて、クラッチ装置１９を切離状態にするための電磁ソレノイド３７の駆動制御を行う。【選択図】図１
2015168367.tif 000002
【特許請求の範囲】
【請求項１】
車両の運転者による操舵入力に対して操舵反力を付与する操舵反力アクチュエータを有する操舵部と、
転舵輪を転舵するための転舵力を付与する転舵アクチュエータを有する転舵部と、
前記操舵部及び前記転舵部の間を機械的な連結状態にし又は切離状態にする動作を行う切替アクチュエータを有するクラッチ装置と、
前記クラッチ装置に係る温度相関情報を取得する温度相関情報取得部と、
前記操舵反力アクチュエータ、前記転舵アクチュエータ、及び前記切替アクチュエータの駆動制御を行う制御部と、を備え、
前記切替アクチュエータは、前記制御部からの駆動制御指令に従う電力の供給を受けて前記クラッチ装置を切離状態にする動作を行い、
前記制御部は、前記クラッチ装置を切離状態にするに際し、前記切替アクチュエータに与える駆動制御指令に係る電力供給態様を前記温度相関情報に基づき設定すると共に、当該設定された電力供給態様を用いて前記切替アクチュエータの駆動制御を行う、
ことを特徴とする車両用操舵装置。
【請求項２】
請求項１に記載の車両用操舵装置であって、
前記制御部は、前記温度相関情報の値が、予め定められる温度閾値未満の場合、前記切替アクチュエータに供給する電力を、前記温度相関情報の値が前記温度閾値以上の際に設定される標準電力に対して大きく設定する、
ことを特徴とする車両用操舵装置。
【請求項３】
請求項１に記載の車両用操舵装置であって、
前記切替アクチュエータに供給する電力を、前記標準電力に対して大きく設定する電力供給態様とは、前記切替アクチュエータへの供給電力の量を、前記標準電力の量に対して増大させることを意味する、
ことを特徴とする車両用操舵装置。
【請求項４】
請求項３に記載の車両用操舵装置であって、
前記制御部は、前記温度相関情報の値が低いほど、前記切替アクチュエータへの供給電力の量を、前記標準電力の量に対して増大させる、
ことを特徴とする車両用操舵装置。
【請求項５】
請求項３又は４に記載の車両用操舵装置であって、
前記切替アクチュエータへの供給電力の量を、前記標準電力の量に対して大きく設定する電力供給態様は、前記切替アクチュエータへの電力供給に係る時間頻度を高めることを含む、
ことを特徴とする車両用操舵装置。
【請求項６】
請求項３又は４に記載の車両用操舵装置であって、
前記制御部は、前記温度相関情報の値が低いほど、前記切替アクチュエータの駆動に係る時間頻度を高めるように当該切替アクチュエータの駆動制御を行う、
ことを特徴とする車両用操舵装置。
【請求項７】
請求項１〜６のいずれか一項に記載の車両用操舵装置であって、
前記制御部は、前記クラッチ装置が切離状態になるのを待って前記切替アクチュエータの駆動制御を停止させる、
ことを特徴とする車両用操舵装置。
【発明の詳細な説明】
【技術分野】
【０００１】
本発明は、ステア・バイ・ワイヤ方式の車両用操舵装置に関する。
【背景技術】
【０００２】
特許文献１には、ステア・バイ・ワイヤ（Steer By Wire）と呼ばれる方式の車両用操舵装置が開示されている。
【０００３】
特許文献１に係る車両用操舵装置は、運転者の操舵操作を受ける操舵部と、転舵輪を転舵する転舵部と、操舵部の側の回転軸と転舵部の側の回転軸との間を連結し又は切り離す動作を行うバックアップクラッチ（以下、“クラッチ装置”という。）と、クラッチ装置が連結されたか否かを判定する連結判定手段と、クラッチ装置に切離指令が出力されている際に、クラッチ装置が連結されていると判定された場合に、ステア・バイ・ワイヤ制御からアシスト（操舵力補助）制御に切り替える制御切替手段と、を備えている。
【０００４】
また、特許文献２には、操舵入力に応じた電動モータの駆動力を転舵輪に伝達することで車両の転舵を行う電動パワーステアリング装置の技術が開示されている。電動モータの駆動力は、ウォームギヤ及びウォームホイールを含む転舵部を介して転舵輪に伝達される。グリス戻し機構を有する前記転舵部の筐体内部には、グリスが封入されている。
特許文献２に係る電動パワーステアリング装置によれば、寒冷時に硬化したグリスによって始動性を悪化させることなく、長期間にわたって潤滑性を維持することができる。
【先行技術文献】
【特許文献】
【０００５】
【特許文献１】特開２００７−１３７２９４号公報
【特許文献２】特開２００９−２４８７２４号公報
【発明の概要】
【発明が解決しようとする課題】
【０００６】
特許文献１に係るクラッチ装置は、特許文献２に係る転舵部の例と同様に、その筐体内部にグリスが封入されている。一方で、冬季などの比較的低温の温度環境下での始動時において、クラッチ装置に係る潤滑の役割を果たすグリスの粘度は高くなる。すると、クラッチ装置に内蔵される、操舵部の側の回転軸と転舵部の側の回転軸との間を連結し又は切り離すための機械要素に係るフリクションが増大する。その結果、クラッチ装置における連結又は切り離し機能を円滑に遂行することができないおそれがあった。
【０００７】
本発明は、前記の実情に鑑みてなされたものであり、比較的低温の温度環境下での始動時であっても、クラッチ装置における連結又は切り離し機能を円滑に遂行することが可能な車両用操舵装置を提供することを目的とする。
【課題を解決するための手段】
【０００８】
前記課題を解決するために、（１）に係る発明は、車両の運転者による操舵入力に対して操舵反力を付与する操舵反力アクチュエータを有する操舵部と、転舵輪を転舵するための転舵力を付与する転舵アクチュエータを有する転舵部と、前記操舵部及び前記転舵部の間を機械的な連結状態にし又は切離状態にする動作を行う切替アクチュエータを有するクラッチ装置と、前記クラッチ装置に係る温度相関情報を取得する温度相関情報取得部と、前記操舵反力アクチュエータ、前記転舵アクチュエータ、及び前記切替アクチュエータの駆動制御を行う制御部と、を備え、前記切替アクチュエータは、前記制御部からの駆動制御指令に従う電力の供給を受けて前記クラッチ装置を切離状態にする動作を行い、前記制御部は、前記クラッチ装置を切離状態にするに際し、前記切替アクチュエータに与える駆動制御指令に係る電力供給態様を前記温度相関情報に基づき設定すると共に、当該設定された電力供給態様を用いて前記切替アクチュエータの駆動制御を行う、ことを最も主要な特徴とする。
【０００９】
（１）に係る発明によれば、クラッチ装置に係る温度相関情報に基づき設定された電力供給態様を用いて切替アクチュエータの駆動制御が行われるため、比較的低温の温度環境下での始動時であっても、クラッチ装置における連結又は切り離し機能を円滑に遂行することができる。
【００１０】
また、（２）に係る発明は、（１）に係る発明に記載の車両用操舵装置であって、前記制御部は、前記温度相関情報の値が、予め定められる温度閾値未満の場合、前記切替アクチュエータに供給する電力を、前記温度相関情報の値が前記温度閾値以上の際に設定される標準電力に対して大きく設定する、ことを特徴とする。
【００１１】
（２）に係る発明では、温度相関情報の値が、予め定められる温度閾値未満の場合、切替アクチュエータに供給する電力を、温度相関情報の値が温度閾値以上の際に設定される標準電力に対して大きく設定する。ここで、前記温度閾値は、クラッチ装置における連結又は切り離し機能を円滑に遂行することができなくなる蓋然性が高い境界温度を、例えば実験などを通じて把握し、こうして把握した境界温度に基づいて予め定められる。
【００１２】
（２）に係る発明によれば、温度相関情報の値が、予め定められる温度閾値未満といったように比較的低い場合、切替アクチュエータに供給する電力を、クラッチ装置に係る温度相関情報の値が温度閾値以上の際に設定される標準電力に対して大きく設定するため、標準電力供給時の駆動力と比べて増大した切替アクチュエータの駆動力、並びに、増大した駆動力に由来する摩擦熱及び切替アクチュエータに生じるジュール熱を補助的に用いて、クラッチ装置の切替動作を行うことができる。その結果、比較的低温の温度環境下での始動時であっても、クラッチ装置を連結状態から切離状態する機能を円滑に行わせることができる。
【００１３】
また、（３）に係る発明は、（１）に係る発明に記載の車両用操舵装置であって、前記切替アクチュエータに供給する電力を、前記標準電力に対して大きく設定する電力供給態様とは、前記切替アクチュエータへの供給電力の量を、前記標準電力の量に対して増大させることを意味する、ことを特徴とする。
【００１４】
ここで、切替アクチュエータへの供給電力の量を増大させる電力供給態様としては、例えば、切替アクチュエータに与える電流の大きさを増大させること、及び、後記する、切替アクチュエータへの電力供給に係る時間頻度を高めることをあげることができる。
【００１５】
（３）に係る発明によれば、（１）に係る発明の作用効果に加えて、切替アクチュエータに供給する電力を標準電力に対して大きく設定するための具体的な電力供給態様を提示することができる。
【００１６】
また、（４）に係る発明は、（３）に係る発明に記載の車両用操舵装置であって、前記制御部は、前記温度相関情報の値が低いほど、前記切替アクチュエータへの供給電力の量を、前記標準電力の量に対して増大させる、ことを特徴とする。
【００１７】
（４）に係る発明によれば、クラッチ装置に係る温度相関情報の値が低いほど、切替アクチュエータへの供給電力の量を、標準電力の量に対して増大させるため、比較的低温の温度環境下での始動時であっても、低温に由来するクラッチ装置における連結又は切り離し機能の悪化を迅速に改善することができる。
【００１８】
また、（５）に係る発明は、（３）又は（４）に係る発明に記載の車両用操舵装置であって、前記切替アクチュエータへの供給電力の量を、前記標準電力の量に対して大きく設定する電力供給態様は、前記切替アクチュエータへの電力供給に係る時間頻度を高めることを含む、ことを特徴とする。
【００１９】
（５）に係る発明によれば、切替アクチュエータへの供給電力の量を大きく設定する電力供給態様として、切替アクチュエータへの電力供給に係る時間頻度を高めるという具体的な電力供給態様を提示することができる。
【００２０】
また、（６）に係る発明は、（３）又は（４）に係る発明に記載の車両用操舵装置であって、前記制御部は、前記温度相関情報の値が低いほど、前記切替アクチュエータの駆動に係る時間頻度を高めるように当該切替アクチュエータの駆動制御を行う、ことを特徴とする。
【００２１】
（６）に係る発明によれば、クラッチ装置に係る温度相関情報の値が低いほど、切替アクチュエータの駆動に係る時間頻度を高めるように切替アクチュエータの駆動制御を行うため、（４）に係る発明と同様に、比較的低温の温度環境下での始動時であっても、低温に由来するクラッチ装置における連結又は切り離し機能の悪化を迅速に改善することができる。
【００２２】
そして、（７）に係る発明は、（１）〜（６）のいずれか一に係る発明に記載の車両用操舵装置であって、前記制御部は、前記クラッチ装置が切離状態になるのを待って前記切替アクチュエータの駆動制御を停止させる、ことを特徴とする。
【００２３】
（７）に係る発明によれば、クラッチ装置が切離状態になるのを待って切替アクチュエータの駆動制御を停止させるため、クラッチ装置を切離状態にする動作を確実に行わせることができる。
【発明の効果】
【００２４】
本発明によれば、比較的低温の温度環境下での始動時であっても、クラッチ装置における連結又は切り離し機能を円滑に遂行することができる。
【図面の簡単な説明】
【００２５】
【図１】本発明の実施形態に係る車両用操舵装置の概略構成図である。
【図２】車両のイグニッションスイッチがオン投入された際の、車両用操舵装置の動作説明に供するフローチャート図である。
【発明を実施するための形態】
【００２６】
以下、本発明の実施形態について、図面を参照しながら詳細に説明する。
図１は、本発明の実施形態に係る車両用操舵装置の概略構成図である。
本発明の実施形態に係る車両用操舵装置１１は、ステア・バイ・ワイヤ（ＳＢＷ）方式の操舵装置である。この車両用操舵装置１１は、後記する転舵モータ２９の駆動により転舵力を発生させる機能（ＳＢＷモード）、例えば後記する操舵反力モータ１６の失陥時において、転舵モータ２９の駆動により運転者の手動による操舵に係る補助力を発生させる電動パワーステアリング（Electronic Power steering：ＥＰＳ）機能（ＥＰＳモード）、並びに、例えば操舵反力モータ１６及び転舵モータ２９の失陥時において、運転者の手動による操舵を行わせる機能（マニュアルステアリングモード）を有する。
【００２７】
前記の諸機能を実現するために、車両用操舵装置１１は、図１に示すように、ステアリングホイール１３と、操舵反力発生装置１５と、転舵装置１７と、クラッチ装置１９と、を備える。車両用操舵装置１１は、車両Ｖに搭載されている。車両Ｖは、一対の転舵輪２１ａ，２１ｂと一対の従動輪（不図示）とを備える。
【００２８】
ステアリングホイール１３は、運転者による操舵入力を受け付ける部材である。ステアリングホイール１３には、操舵軸２３が設けられている。操舵軸２３は、運転者によるステアリングホイール１３の操作にしたがって、軸周りに回転するように構成されている。
【００２９】
操舵反力発生装置１５は、車両用操舵装置１１がＳＢＷモードで動作している際に、ステアリングホイール１３を握る運転者の手元に操舵に係る反力（手応え）を発生させる機能を有する。操舵反力発生装置１５は、操舵反力モータ１６を有する。操舵反力モータ１６は、本発明の“操舵反力アクチュエータ”に相当する。操舵反力モータ１６には、操舵軸２３が連結されている。操舵反力モータ１６は、操舵軸２３を軸周りに回転させるための操舵トルクを発生させる。これにより、車両用操舵装置１１がＳＢＷモードで動作している際に、ステアリングホイール１３を握る運転者の手元には、操舵に係る反力（手応え）が伝えられるようになっている。
ステアリングホイール１３、操舵反力モータ１６を有する操舵反力発生装置１５、及び、操舵軸２３は、本発明の“操舵部”に相当する。
【００３０】
転舵装置１７は、不図示のラック・アンド・ピニオン機構を介して、転舵軸２５の回転運動をラック軸２７の直線運動に変換する機能を有する。転舵装置１７は、転舵モータ２９を有する。転舵モータ２９は、本発明の“転舵アクチュエータ”に相当する。転舵モータ２９には、転舵軸２５及びラック軸２７が連結されている。転舵モータ２９は、ラック軸２７を軸方向に沿って直線運動させるための転舵トルクを発生させる。ラック軸２７には、図示しないタイロッドを介して一対の転舵輪２１ａ，２１ｂが連結されている。一対の転舵輪２１ａ，２１ｂは、ラック軸２７の直線運動によって転舵されるようになっている。
【００３１】
転舵軸２５、ラック軸２７、及び、転舵モータ２９を有する転舵装置１７は、本発明の“転舵部”に相当する。転舵装置１７の筐体内部には、グリスＧｒが封入されている。これにより、転舵装置１７の筐体内部に収容されたラック・アンド・ピニオン機構を含む機械要素間の潤滑性を担保するようになっている。
【００３２】
クラッチ装置１９は、操舵軸２３及び転舵軸２５の間を連結し又は切り離す機能を有する。こうした機能を実現するために、クラッチ装置１９は、遊星歯車機構３１を備える。この遊星歯車機構３１は、内歯歯車３１ａと、遊星歯車３１ｂと、太陽歯車３１ｃと、遊星キャリア３１ｄと、を有して構成されている。クラッチ装置１９の筐体内部にも、グリスＧｒが封入されている。これにより、クラッチ装置１９の筐体内部に収容された遊星歯車機構３１を含む機械要素間の潤滑性を担保するようになっている。
【００３３】
ここで、本発明の実施形態に係る車両用操舵装置１１が搭載される車両Ｖでは、イグニッションスイッチ（不図示）がオフである始動前（駐車時）において、クラッチ装置１９は連結状態にある。こうした車両Ｖの、冬季などの比較的低温の温度環境下での始動時において、クラッチ装置１９に係る潤滑の役割を果たすグリスＧｒの粘度は高い。すると、クラッチ装置に内蔵される、操舵軸２３及び転舵軸２５の間を連結し又は切り離すための機械要素である遊星歯車機構３１に係るフリクションが増大する。その結果、クラッチ装置１９を連結状態から切離状態する機能を円滑に遂行することができなくなるおそれがある。
【００３４】
そこで、本発明の実施形態に係る車両用操舵装置１１では、車両Ｖの始動時において、操舵モードをＳＢＷモードにする(クラッチ装置１９を連結状態から切離状態する)際に、クラッチ装置１９に係る温度相関情報の値Ｔ１が、予め定められる温度閾値Ｔｔｈ未満の場合、電磁ソレノイド３７に供給する電力を、温度相関情報の値Ｔ１が温度閾値Ｔｔｈ以上の際に設定される標準電力に対して大きく設定する。これにより、標準電力供給時の駆動力と比べて増大した電磁ソレノイド３７によるロックピン３６の駆動力（衝撃力）、並びに、増大した駆動力に由来する摩擦熱及び電磁ソレノイド３７のコイル部（不図示）に生じるジュール熱を補助的に用いて、クラッチ装置１９を連結状態から切離状態する機能を円滑に行わせることとしている。そのための構成及び作用について、詳しくは後記する。
【００３５】
クラッチ装置１９は、ロック用歯車３３及びロック装置３５を備える。ロック装置３５は、ロック用環状歯車３３の歯溝に係脱自在に設けられるロックピン３６と、ロックピン３６を軸方向に沿って進退自在に往復駆動する電磁ソレノイド３７と、支軸３８を介してシーソー支持されてロックピン３６の進退動作が伝えられるリンクレバー３９と、を備えて構成されている。ロック装置３５は、本発明の“切替アクチュエータ”に相当する。また、ロックピン３６は、本発明の“ロック部材”に相当する。
【００３６】
クラッチ装置１９において、内歯歯車３１ａは、操舵軸２３のうち転舵装置１７の側端部に固定され、操舵軸２３と同軸の軸周りに操舵軸２３と一体に回転するように構成される。太陽歯車３１ｃは、転舵軸２５と同軸の回転軸周りに自在に回転するように構成される。遊星歯車３１ｂは、環状内歯歯車３１ａ及び太陽歯車３１ｃ間に設けられた周回状の間隙に、環状内歯歯車３１ａ及び太陽歯車３１ｃのそれぞれに係合するように、相互に均等な間隔を置いて複数（例えば３つなど）設けられる。複数の遊星歯車３１ｂのそれぞれは、転舵軸２５と同軸の軸周りに転舵軸２５と一体に回転する遊星キャリア３１ｄに対して回転自在に軸支されている。
【００３７】
ロック用歯車３３は、外歯歯車である。ロック用歯車３３は、太陽歯車３１ｃと一体に回転するように構成される。リンクレバー３９のうちロックピン３６に対する当接側から支軸３８を挟んだ反対側の先端部３９ａは、不図示の付勢手段によってロック用歯車３３に近接する方向に付勢されている。
【００３８】
電磁ソレノイド３７は、後記する制御装置４０からの、クラッチ装置１９を連結状態にする（操舵モードを非ＳＢＷモードにする）指令と共に、電力供給が絶たれると、ロックピン３６を待機位置（図１のＰ１参照）に退避させるように動作する。すると、リンクレバー３９のうち先端部３９ａが、ロック用歯車３３の歯溝に係合する。これにより、ロック用歯車３３の回転運動が規制されるようになっている。
【００３９】
一方、電磁ソレノイド３７は、制御装置４０からの、クラッチ装置１９を切離状態する（操舵モードをＳＢＷモードにする）指令と共に、電力供給が行われると、ロックピン３６を待機位置（図１のＰ１参照）から作動位置（図１のＰ２参照）まで進出させるように動作する。すると、リンクレバー３９のうち先端部３９ａが、ロック用歯車３３の歯溝に対する係合から離脱する。これにより、ロック用歯車３３の回転運動が規制解除されるようになっている。
【００４０】
次に、クラッチ装置１９の作用について説明する。ロックピン３６の退避駆動により、リンクレバー３９の先端部３９ａがロック用歯車３３の歯溝に係合すると、ロック歯車３３と一体に回転する太陽歯車３１ｃの回転運動が規制される。
太陽歯車３１ｃの回転運動が規制された状態で、運転者がステアリングホイール１３を操作すると、操舵軸２３の回転に伴って内歯歯車３１ａが回転する。このとき、太陽歯車３１ｃの回転運動が規制されているため、遊星歯車３１ｂは自転しながら太陽歯車３１ｃの周囲を公転する。遊星歯車３１ｂの公転によって、遊星歯車３１ｂを軸支する遊星キャリア３１ｄ及びこの遊星キャリア３１ｄと一体に回転する転舵軸２５が回転する。
【００４１】
要するに、リンクレバー３９の先端部３９ａがロック用歯車３３の歯溝に係合した状態では、クラッチ装置１９は、操舵軸２３及び転舵軸２５の間を連結する連結状態になる。このとき、操舵軸２３の回転力は、転舵軸２５へと伝えられる。
【００４２】
一方、ロック用歯車３３の歯溝に対するリンクレバー３９の先端部３９ａの係合が解除されると、ロック用歯車３３と一体に回転する太陽歯車３１ｃは回転自在な状態になる。
太陽歯車３１ｃが回転自在な状態で、運転者がステアリングホイール１３を操作すると、操舵軸２３の回転に伴って内歯歯車３１ａが回転する。このとき、遊星歯車３１ｂは、自転しながら太陽歯車３１ｃの周囲を公転しようとする。しかし、遊星キャリア３１ｄには、転舵軸２５及びラック軸２７を介して転舵輪２１ａ，２１ｂが連結されている。このため、遊星キャリア３１ｄの回転に対する抵抗力は、回転自在の状態にある太陽歯車３１ｃの回転に対する抵抗力と比べてはるかに大きい。したがって、遊星歯車３１ｂが自転すると、太陽歯車３１ｃの方が回転（自転）し、遊星キャリア３１ｄは回転しない。つまり、転舵軸２５は回転しない。
【００４３】
要するに、ロック用歯車３３の歯溝に対するリンクレバー３９の先端部３９ａの係合が解除された状態では、クラッチ装置１９は、操舵軸２３及び転舵軸２５の間を切り離した切離状態になる。このとき、操舵軸２３の回転力は、転舵軸２５へと伝えられない。
【００４４】
次に、制御装置４０に対する入出力系統について説明する。
制御装置４０には、入力系統として、操舵角センサ４１、操舵トルクセンサ４３、操舵反力モータレゾルバ４５、転舵モータレゾルバ４７、ラックストロークセンサ４９、クラッチ温度センサ５１、切替駆動電流センサ５３、及び、車載情報端末５５が接続されている。
【００４５】
操舵角センサ４１及び操舵トルクセンサ４３は、操舵軸２３に設けられている。操舵角センサ４１は、運転者によるステアリングホイール１３の操舵角を検出し、検出した操舵角情報を制御装置４０に与える。また、操舵トルクセンサ４３は、運転者によるステアリングホイール１３の操舵トルクを検出し、検出した操舵トルク情報を制御装置４０に与える。
【００４６】
操舵反力モータレゾルバ４５は、操舵反力モータ１６に設けられている。操舵反力モータレゾルバ４５は、操舵反力モータ１６の回転動作量（操舵角）を検出し、検出した操舵角情報を制御装置４０に与える。
【００４７】
転舵モータレゾルバ４７は、転舵モータ２９に設けられている。転舵モータレゾルバ４７は、転舵モータ２９の回転動作量（転舵角）を検出し、検出した転舵角情報を制御装置４０に与える。
【００４８】
ラックストロークセンサ４９は、ラック軸２７に設けられている。ラックストロークセンサ４９は、ラック軸２７の直線移動量（転舵角）を検出し、検出した転舵角情報を制御装置４０に与える。
【００４９】
クラッチ温度センサ５１は、クラッチ装置１９の筐体内部に封入されているグリスＧｒの温度を検出し、検出したグリス温度情報を、温度相関情報として制御装置４０に与える。グリス温度情報は、本発明の“クラッチ装置に係る温度相関情報”に相当する。グリスＧｒの温度情報は、本発明の主題である、クラッチ装置１９における連結又は切り離しの機能性とよく相関するからである。
【００５０】
切替駆動電流センサ５３は、電磁ソレノイド３７のコイル部に流れる切替駆動電流値を検出し、検出した切替駆動電流値に係る情報を制御装置４０に与える。切替駆動電流値に係る情報は、制御装置４０において、電磁ソレノイド３７への供給電力が適切か否かを判定する用途に用いられる。
【００５１】
車載情報端末５５は、アンテナ５７を経由した無線通信を介して、例えば、車両の現在位置を含む地域に係る気象情報（気温を含む）を取得し、取得した気温を含む気象情報を、“クラッチ装置に係る温度相関情報”として制御装置４０に与える。
【００５２】
一方、制御装置４０には、出力系統として、操舵反力モータ１６、転舵モータ２９、及び、電磁ソレノイド３７が接続されている。
【００５３】
制御装置４０は、入力系統を介して入力した検出信号、及び、車両用操舵装置１１の各種構成部材に係る異常診断結果などに基づいて、車両用操舵装置１１の操舵モードを、ＳＢＷモード、ＥＰＳモード、又は、マニュアルステアリングモードのいずれかに決定する機能、決定した操舵モードにしたがって、操舵反力モータ１６、転舵モータ２９、及び、電磁ソレノイド３７の駆動制御をおこなうための制御信号をそれぞれ生成する機能、並びに、生成した制御信号に基づいて、操舵反力モータ１６、転舵モータ２９、及び、電磁ソレノイド３７の駆動制御を行う機能を有する。
【００５４】
制御装置４０は、車両用操舵装置１１がＳＢＷモードで動作している際に、操舵反力モータ１６の駆動制御を行うことにより、ステアリングホイール１３を握る運転者の手元に対し、適切な操舵に係る反力（手応え）を伝えるように動作する。
【００５５】
また、制御装置４０は、車両用操舵装置１１がＳＢＷモードで動作している際に、転舵モータ２９の駆動制御を行うことにより、運転者の運転意図にしたがって転舵輪２１ａ，２１ｂを転舵するように動作する。
【００５６】
また、制御装置４０は、車両用操舵装置１１の操舵モードにしたがって、電磁ソレノイド３７のコイル部への励磁電流（電力）の供給又は供給停止を切り替える駆動制御を行うことにより、クラッチ装置１９の状態を、連結状態又は切離状態のいずれか一方に切り替えるように動作する。
【００５７】
さらに、制御装置４０は、車両用操舵装置１１が有する操舵機能を維持するために不可欠な構成要素（操舵反力モータ１６を有する操舵反力発生装置１５、転舵モータ２９を有する転舵装置１７、及び、制御装置４０など）の稼働状況を調査し、その調査結果に基づいて、操舵機能に係る異常診断を行う機能を有する。
【００５８】
そして、制御装置４０は、クラッチ装置１９に係る温度相関情報を取得する機能、電磁ソレノイド３７に対してＰＷＭ制御に従う励磁電流（電力）を与える際の出力電圧デューティ比を、前記取得したクラッチ装置１９に係る温度相関情報に基づいて設定する機能、出力電圧デューティ比を前記設定されたデューティ比に追従させるように電磁ソレノイド３７の駆動制御を行う機能、及び、転舵輪２１ａ，２１ｂの実転舵角を、別途算出される目標転舵角に追従させるように転舵モータ２９の駆動制御を行う機能を有する。
【００５９】
こうした諸機能を実現するために、制御装置４０は、温度相関情報取得部６１、及び、駆動制御部６３を備えて構成されている。
【００６０】
温度相関情報取得部６１は、クラッチ装置１９に係る温度相関情報を取得する機能を有する。本発明の“クラッチ装置に係る温度相関情報”とは、クラッチ温度センサ５１により検出したグリス温度情報のほか、車両Ｖに係る環境温度情報などの、クラッチ装置１９に係る温度に相関する情報を包括的に含む。車両Ｖに係る環境温度情報としては、例えば、車外温度情報、エアコン作動情報、シートヒータ温度情報、タイヤ空気圧情報、車載情報端末５５を介して取得した気温を含む気象情報などを例示することができる。
【００６１】
駆動制御部６３は、電磁ソレノイド３７をＰＷＭ制御する際の出力電圧デューティ比を、クラッチ装置１９に係る温度相関情報に基づいて設定する機能を有する。ここで、“出力電圧デューティ比を、クラッチ装置１９に係る温度相関情報に基づいて設定する”とは、クラッチ装置１９に係る温度相関情報の値Ｔ１の大小に応じて、温度相関情報の値Ｔ１が所定の温度閾値Ｔｔｈ以上の場合に標準デューティ比（標準電力）を採用し、また、温度相関情報の値Ｔ１が温度閾値Ｔｔｈ未満の場合に標準デューティ比（標準電力）と比べて大きいデューティ比（標準電力を超える電力）を採用するように、出力電圧デューティ比をそれぞれ設定する態様を含む。そして、駆動制御部６３は、設定したデューティ比を用いて、電磁ソレノイド３７のＰＷＭ制御を行わせるように動作する。駆動制御部６３は、本発明の“制御部”に相当する。
なお、標準デューティ比とは、クラッチ装置１９に係る温度相関情報の値Ｔ１が温度閾値Ｔｔｈ以上の（クラッチ装置１９の切替動作に支障を来さない）際に設定される、標準的に常用されるデューティ比を意味する。
【００６２】
次に、車両Ｖのイグニッションスイッチ（不図示）がオン投入された際の、車両用操舵装置１１の動作について説明する。
なお、本発明の実施形態に係る車両用操舵装置１１では、車両Ｖのイグニッションスイッチがオン投入される直前の操舵モードは、非ＳＢＷモードであるとする。また、車両用操舵装置１１を構成する、操舵反力発生装置１５、転舵装置１７、及び、クラッチ装置１９を含む各種機能部材は、全て正常に動作しているものとする。さらに、制御装置４０には、車両Ｖのイグニッションスイッチのオンオフ状態にかかわらず、車載電池（不図示）から電力が供給されているものとする。
【００６３】
ステップＳ１１において、制御装置４０は、車両Ｖのイグニッションスイッチがオン投入されたか否かを調べる。ステップＳ１１の判定の結果、車両Ｖのイグニッションスイッチがオン投入されていない旨の判定が下された場合（ステップＳ１１の“Ｎｏ”）、制御装置４０は、車両Ｖのイグニッションスイッチがオン投入された旨の判定が下されるまで、ステップＳ１１の判定を繰り返し行う。
一方、ステップＳ１１の判定の結果、車両Ｖのイグニッションスイッチがオン投入された旨の判定が下された場合（ステップＳ１１の“Ｙｅｓ”）、制御装置４０は、処理の流れを次のステップＳ１２へと進ませる。
【００６４】
ステップＳ１２において、制御装置４０の温度相関情報取得部６１は、クラッチ温度センサ５１により検出されるグリス温度に基づいて、クラッチ装置１９に係る温度相関情報の値Ｔ１を取得する。
【００６５】
ステップＳ１３において、制御装置４０は、温度相関情報取得部６１で取得した温度相関情報の値Ｔ１が、所定の温度閾値Ｔｔｈ以上か否かを調べる。ステップＳ１３の判定の結果、温度相関情報の値Ｔ１が温度閾値Ｔｔｈ以上である旨の判定が下された場合（ステップＳ１３の“Ｙｅｓ”）、制御装置４０は、処理の流れを次のステップＳ１４へと進ませる。
一方、ステップＳ１３の判定の結果、温度相関情報の値Ｔ１が温度閾値Ｔｔｈ未満である旨の判定が下された場合（ステップＳ１３の“Ｎｏ”）、制御装置４０は、処理の流れをステップＳ１５へとジャンプさせる。
【００６６】
ステップＳ１４において、温度相関情報の値Ｔ１が温度閾値Ｔｔｈ以上である旨の判定結果を受けて、制御装置４０の駆動制御部６３は、出力電圧デューティ比を標準デューティ比（標準電力）に設定する。
【００６７】
一方、ステップＳ１５において、温度相関情報の値Ｔ１が温度閾値Ｔｔｈ未満である旨の判定結果を受けて、制御装置４０の駆動制御部６３は、出力電圧デューティ比を標準デューティ比（標準電力）に対して大きく（標準電力を超える電力に）設定する。
【００６８】
ステップＳ１６において、制御装置４０の駆動制御部６３は、ステップＳ１５で設定したデューティ比を用いて、電磁ソレノイド３７のＰＷＭ制御を行わせる。
【００６９】
ステップＳ１７において、制御装置４０は、クラッチ装置１９が連結状態から切離状態になったか否かを調べる。クラッチ装置１９が連結状態から切離状態になったか否かは、例えば、ロックピン３６が待機位置（図１のＰ１参照）にあるのか、又は作動位置（図１のＰ２参照）にあるのかを、位置センサを用いて検出することで認識することができる。
ステップＳ１７の判定の結果、クラッチ装置１９が切離状態になった旨の判定が下された場合（ステップＳ１７の“Ｙｅｓ”）、制御装置４０は、一連の処理の流れを終了させる。
一方、ステップＳ１７の判定の結果、クラッチ装置１９が切離状態になっていない旨の判定が下された場合（ステップＳ１７の“Ｎｏ”）、制御装置４０は、処理の流れを次のステップＳ１８へと進ませる。
【００７０】
ステップＳ１８において、制御装置４０は、車両用操舵装置１１が有する操舵機能を維持するために不可欠な構成要素（操舵反力モータ１６を有する操舵反力発生装置１５、転舵モータ２９を有する転舵装置１７、及び、制御装置４０など）が正常か否かの判定を行う。
ステップＳ１８の判定の結果、操舵機能を維持するために不可欠な構成要素のいずれかが異常状態に陥っている旨の判定が下された場合（ステップＳ１８の“Ｙｅｓ”）、制御装置４０は、操舵モードをＳＢＷモードに移行させることはできないとみなして一連の処理の流れを終了させる。
一方、ステップＳ１８の判定の結果、操舵機能を維持するために不可欠な構成要素が正常である旨の判定が下された場合（ステップＳ１８の“Ｎｏ”）、制御装置４０は、処理の流れをステップＳ１２に戻し、以下の処理を順次行わせる。
【００７１】
〔本発明の実施形態に係る車両用操舵装置１１の作用効果〕
第１の観点（請求項１に対応）に基づく車両用操舵装置１１では、車両Ｖの運転者による操舵入力に対して操舵反力を付与する操舵反力モータ（操舵反力アクチュエータ）１６を有する操舵反力発生装置（操舵部）１５と、２１ａ，２１ｂを転舵するための転舵力を付与する転舵モータ（転舵アクチュエータ）２９を有する転舵装置（転舵部）１７と、操舵反力発生装置１５及び転舵装置１７の間を機械的な連結状態にし又は切離状態にする動作を行うロック装置（切替アクチュエータ）３５を有するクラッチ装置１９と、クラッチ装置１９に係る温度相関情報を取得する温度相関情報取得部６１と、操舵反力モータ１６、転舵モータ２９、及びロック装置３５の駆動制御を行う駆動制御部（制御部）６５と、を備え、ロック装置３５は、駆動制御部（制御部）６５からの駆動制御指令に従う電力の供給を受けてクラッチ装置１９を切離状態にする動作を行い、駆動制御部（制御部）６５は、クラッチ装置１９を切離状態にするに際し、ロック装置３５に与える駆動制御指令に係る電力供給態様を温度相関情報に基づき設定すると共に、当該設定された電力供給態様を用いてロック装置３５の駆動制御を行う。
【００７２】
第１の観点に基づく車両用操舵装置１１によれば、クラッチ装置１９に係る温度相関情報に基づき設定された電力供給態様を用いてロック装置（切替アクチュエータ）３５の駆動制御が行われるため、比較的低温の温度環境下での始動時であっても、クラッチ装置１９における連結又は切り離し機能を円滑に遂行することができる。
【００７３】
また、第２の観点（請求項２に対応）に基づく車両用操舵装置１１では、駆動制御部（制御部）６３は、温度相関情報の値Ｔ１が、予め定められる温度閾値Ｔｔｈ未満の場合、ロック装置（切替アクチュエータ）３５のうち電磁ソレノイド３７に供給する電力を、温度相関情報の値Ｔ１が温度閾値Ｔｔｈ以上の際に設定される標準電力に対して大きく設定する、構成を採用してもよい。
【００７４】
第２の観点に基づく車両用操舵装置１１では、温度相関情報の値Ｔ１が、予め定められる温度閾値Ｔｔｈ未満の場合、ロック装置（切替アクチュエータ）３５のうち電磁ソレノイド３７に供給する電力を、温度相関情報の値Ｔ１が温度閾値Ｔｔｈ以上の際に設定される標準電力に対して大きく設定する。ここで、前記温度閾値Ｔｔｈは、クラッチ装置１９における連結又は切り離し機能を円滑に遂行することができなくなる蓋然性が高い境界温度を、例えば実験などを通じて把握し、こうして把握した境界温度に基づいて予め定められる。
【００７５】
第２の観点に基づく車両用操舵装置１１によれば、温度相関情報の値Ｔ１が、予め定められる温度閾値Ｔｔｈ未満の場合、ロック装置（切替アクチュエータ）３５のうち電磁ソレノイド３７に供給する電力を、温度相関情報の値Ｔ１が温度閾値Ｔｔｈ以上の際に設定される標準電力に対して大きく設定するため、標準電力供給時の駆動力と比べて増大したロック装置３５の駆動力（衝撃力）、並びに、増大した駆動力に由来する摩擦熱及びロック装置３５（のうち電磁ソレノイド３７のコイル部）に生じるジュール熱を補助的に用いて、クラッチ装置１９の切替動作を行うことができる。その結果、比較的低温の温度環境下での始動時であっても、クラッチ装置１９を連結状態から切離状態する機能を円滑に行わせることができる。
【００７６】
また、第３の観点に基づく車両用操舵装置１１では、ロック装置（切替アクチュエータ）３５のうち電磁ソレノイド３７に供給する電力を、標準電力に対して大きく設定する電力供給態様とは、電磁ソレノイド３７への供給電力の量を、標準電力の量に対して増大させることを意味する、構成を採用してもよい。
【００７７】
第３の観点に基づく車両用操舵装置１１によれば、第１の観点に基づく車両用操舵装置１１の作用効果に加えて、ロック装置（切替アクチュエータ）３５のうち電磁ソレノイド３７に供給する電力を標準電力に対して大きく設定するための具体的な電力供給態様を提示することができる。
【００７８】
また、第４の観点（請求項４に対応）に基づく車両用操舵装置１１では、駆動制御部（制御部）６３は、温度相関情報の値Ｔ１が低いほど、ロック装置（切替アクチュエータ）３５のうち電磁ソレノイド３７への供給電力の量を、標準電力の量に対して増大させる、構成を採用してもよい。
【００７９】
第４の観点に基づく車両用操舵装置１１によれば、クラッチ装置１９に係る温度相関情報の値Ｔ１が低いほど、ロック装置（切替アクチュエータ）３５のうち電磁ソレノイド３７への供給電力の量を、標準電力の量に対して増大させるため、比較的低温の温度環境下での始動時であっても、低温に由来するクラッチ装置１９における連結又は切り離し機能の悪化を迅速に改善することができる。
【００８０】
また、第５の観点（請求項５に対応）に基づく車両用操舵装置１１では、ロック装置（切替アクチュエータ）３５のうち電磁ソレノイド３７への供給電力の量を、標準電力の量に対して大きく設定する電力供給態様は、電磁ソレノイド３７への電力供給に係る時間頻度（ＰＷＭ制御の出力電圧デューティ比）を高めることを含む、構成を採用してもよい。
【００８１】
第５の観点に基づく車両用操舵装置１１によれば、所要の制御性能を維持するための具体的かつ実用的な指針を提示することができる。
【００８２】
また、第６の観点（請求項６に対応）に基づく車両用操舵装置１１では、駆動制御部（制御部）６３は、温度相関情報Ｔ１の値が低いほど、ロック装置（切替アクチュエータ）３５の駆動に係る時間頻度を高めるようにロック装置３５の駆動制御を行う、構成を採用してもよい。具体的には、駆動制御部６３は、温度相関情報Ｔ１の値が低いほど、単位時間当たりのロック装置３５（電磁ソレノイド３７）の駆動回数を多くする（例えば、特に限定されないが、通常時の駆動回数は１回のところ、２回以上の複数回数に増やすなど）ようにロック装置３５の駆動制御を行う。なお、単位時間当たりのロック装置３５の駆動回数を多くすることは、電磁ソレノイド３７への電力供給に係る時間頻度を高めることに対応する。
【００８３】
第６の観点に基づく車両用操舵装置１１によれば、クラッチ装置１９に係る温度相関情報の値が低いほど、ロック装置３５の駆動に係る時間頻度を高めるようにロック装置３５の駆動制御を行うため、第４の観点に基づく車両用操舵装置１１と同様に、比較的低温の温度環境下での始動時であっても、低温に由来するクラッチ装置における連結又は切り離し機能の悪化を迅速に改善することができる。
【００８４】
そして、第７の観点（請求項７に対応）に基づく車両用操舵装置１１では、駆動制御部（制御部）６３は、クラッチ装置１９が切離状態になるのを待ってロック装置（切替アクチュエータ）３５の駆動制御を停止させる、構成を採用してもよい。
【００８５】
第７の観点に基づく車両用操舵装置１１によれば、クラッチ装置１９が切離状態になるのを待ってロック装置３５の駆動制御を停止させるため、クラッチ装置１９を切離状態にする動作を確実に行わせることができる。
【００８６】
〔その他の実施形態〕
以上説明した複数の実施形態は、本発明の具現化の例を示したものである。したがって、これらによって本発明の技術的範囲が限定的に解釈されることがあってはならない。本発明はその要旨又はその主要な特徴から逸脱することなく、様々な形態で実施することができるからである。
【００８７】
例えば、本発明の実施形態に係る説明において、遊星歯車機構３１を有するクラッチ装置１９を設ける例をあげて説明したが、本発明はこの例に限定されない。クラッチ装置１９の構成は、操舵軸２３及び転舵軸２５の間を連結し又は切り離すことが可能であれば、いかなるものでも構わない。
【００８８】
最後に、本発明の実施形態に係る説明において、クラッチ装置１９に係る温度相関情報の値Ｔ１が、ひとつの温度閾値Ｔｔｈ未満か否かに基づいて、ＰＷＭ制御の出力電圧デューティ比の大きさを設定する例をあげて説明したが、本発明はこの例に限定されない。温度閾値Ｔｔｈの値を複数設け、温度相関情報の値域を複数に区分して、複数の異なる値域毎にＰＷＭ制御の出力電圧デューティ比の大きさをそれぞれ設定する構成を採用してもよい。
【符号の説明】
【００８９】
１１    車両用操舵装置
１５    操舵反力発生装置（操舵部）
１６    操舵反力モータ（操舵反力アクチュエータ）
１７    転舵装置（転舵部）
１９    クラッチ装置
２９    転舵モータ（転舵アクチュエータ）
３５    ロック装置（切替アクチュエータ）
３７    電磁ソレノイド（切替アクチュエータ）
４０    制御装置（制御部）
５１    クラッチ温度センサ
５３    切替駆動電流センサ
６１    温度相関情報取得部
６３    駆動制御部
Ｖ      車両
【図１】
2015168367.tif 000003
【図２】
2015168367.tif 000004